(57)【特許請求の範囲】
【請求項１】
物体側から像側へと順に、
第１レンズ群と、
開口絞りと、
正のパワーを有する第２レンズ群と、からなり、
前記第１レンズ群は、物体側から像側へと順に、少なくとも、
物体側に凸形状を構成し、負のパワーを有するメニスカス形状の第１レンズ素子と、
物体側に凸形状を構成し、負のパワーを有するメニスカス形状の第２レンズ素子と、
像側に凹形状を構成し、負のパワーを有する第３レンズ素子と
後続レンズ素子と、を含み、
前記第２レンズ素子は非球面で構成され、
前記第１レンズ群は、前記第２レンズ素子を含む少なくとも２枚の非球面レンズを有し、
次の条件式（１Ａ）、（７）、（８）および（９）を同時に満足し、
０．４５  ＜  （Ｒ２１−Ｒ２２）／（Ｒ２１＋Ｒ２２）  ＜  ０．８  ・・・（１Ａ）
１．５０  ＜  ｎａｓｐ  ＜  １．６５  ・・・（７）
２０  ＜  νａｓｐ  ＜  ６０  ・・・（８）
１．８１  ＜  ｎ１  ＜  １．９５  ・・・（９）
ここで、
Ｒ２１：第２レンズ素子の物体側の近軸曲率半径、
Ｒ２２：第２レンズ素子の像側の近軸曲率半径、
ｎａｓｐ：前記少なくとも２枚の非球面レンズのｄ線における屈折率、
νａｓｐ：前記少なくとも２枚の非球面レンズのｄ線におけるアッベ数、
ｎ１：前記第１レンズ素子のｄ線における屈折率、
である、広角レンズ系。
【請求項２】
前記少なくとも２枚の非球面レンズは、前記第３レンズ素子を含む、
請求項１に記載の光学レンズ系。
【請求項３】
前記第３レンズ素子は、物体側に凹形状を構成する、
請求項１から２のいずれか一項に記載の広角レンズ系。
【請求項４】
次の条件式（２）を満足し、
２ω  ≧  １８０°  ・・・（２）
ここで、
２ω：画角、
である、請求項１から３のいずれか一項に記載の広角レンズ系。
【請求項５】
前記第１レンズ群の厚みと、第１レンズ群に含まれるレンズ素子の中心厚みの和が、次の条件式（３）を満足し、
０．３５  ＜  ΣＤｉ／Ｔ１  ＜  ０．７０  ・・・（３）
ここで、
ΣＤｉ：  第１レンズ群に含まれるレンズ素子の中心厚みの和、
Ｔ１：第１レンズ群の総厚、
である、請求項１から４のいずれか一項に記載の広角レンズ系。
【請求項６】
前記第１レンズ群と前記第２レンズ群は次の条件式（４）を満足し、
０．５  ＜  ｜ｆＧ１／ｆＧ２｜  ＜  ４．０  ・・・（４）
ここで、
ｆＧ１：第１レンズ群の焦点距離、
ｆＧ２：第２レンズ群の焦点距離、
である、請求項１から５のいずれか一項に記載の広角レンズ系。
【請求項７】
前記第２レンズ群は少なくとも１組の接合レンズを含み、少なくとも４枚のレンズ素子で構成される、
請求項１から６のいずれか一項に記載の広角レンズ系。
【請求項８】
前記第１レンズ群の負のパワーを有するレンズ素子の内少なくとも２つ、及び、前記第２レンズ群の正のパワーを有するレンズ素子の内少なくとも２つは、次の条件式（５）を満足し、
０．６２  ≦  ＰｇＦ  ＋  ０．００１８  ×  νｄ  ≦  ０．７２  ・・・（５）
ここで、
ＰｇＦ：部分分散比、
νｄ：アッベ数、
である、請求項１から７のいずれか一項に記載の広角レンズ系。
【請求項９】
次の条件式（６）を満足し、
３．０  ≦  ｜Ｔｈ  ／  ｈ｜  ・・・（６）
ここで、
Ｔｈ：射出瞳位置（像面からの距離）、
ｈ：像高、
である、請求項１から８のいずれか一項に記載の広角レンズ系。
【請求項１０】
請求項１から９のいずれか一項に記載の広角レンズ系と、前記広角レンズ系によって形成された像を受光する撮像素子を有する撮像装置。
【発明の詳細な説明】
【技術分野】
【０００１】
本開示は、車載カメラ、監視カメラ等の撮像装置に用いられる広角レンズ系、及び、広角レンズ系を有する撮像装置に関する。
【背景技術】
【０００２】
特許文献１は、物体側から像側へと順に、負のパワーを有する第１レンズ素子、負のパワーを有する第２レンズ素子、正のパワーを有する第３レンズ素子、正のパワーを有する接合レンズを備えた４群５枚構成の超広角レンズ系を開示している。
【先行技術文献】
【特許文献】
【０００３】
【特許文献１】特開２００９−６３８７７号公報
【発明の概要】
【発明が解決しようとする課題】
【０００４】
本開示は、小型でありながら、大口径、かつ高性能な広角レンズ系を提供することを目的とする。
【課題を解決するための手段】
【０００５】
広角レンズ系は、物体側から像側へと順に、第１レンズ群と開口絞りと正のパワーを有する第２レンズ群とからなる。第１レンズ群は物体側から像側へと順に、少なくとも、物体側に凸形状を構成し、負のパワーを有するメニスカス形状の第１レンズ素子と、物体側に凸形状を構成し、負のパワーを有するメニスカス形状の第２レンズ素子と、像側に凹形状を構成し、負のパワーを有する第３レンズ素子と、後続レンズ素子と、を含む。第２レンズ素子は非球面で構成され、第１レンズ群は、第２レンズ素子を含む少なくとも２枚の非球面レンズを有する。
【０００６】
そして、次の条件式（１Ａ）、（７）、（８）、および（９）を同時に満足し、
０．４５  ＜  （Ｒ２１−Ｒ２２）／（Ｒ２１＋Ｒ２２）  ＜  ０．８  ・・・（１Ａ）
１．５０  ＜  ｎａｓｐ  ＜  １．６５  ・・・（７）
２０  ＜  νａｓｐ  ＜  ６０  ・・・（８）
１．８１  ＜  ｎ１  ＜  １．９５  ・・・（９）
ここで、
Ｒ２１：第２レンズ素子の物体側の近軸曲率半径、
Ｒ２２：第２レンズ素子の像側の近軸曲率半径、
ｎａｓｐ：少なくとも２枚の非球面レンズのｄ線における屈折率、
νａｓｐ：少なくとも２枚の非球面レンズのｄ線におけるアッベ数、
ｎ１：第１レンズ素子のｄ線における屈折率、
である。
【発明の効果】
【０００７】
本開示によれば、小型でありながら、大口径、かつ高性能な広角レンズ系を提供することができる。
【図面の簡単な説明】
【０００８】
【図１】実施の形態１に係る広角レンズ系のレンズ配置図
【図２Ａ】実施の形態１に係る広角レンズ系の無限遠合焦状態の縦収差（球面収差）図
【図２Ｂ】実施の形態１に係る広角レンズ系の無限遠合焦状態の縦収差（非点収差）図
【図３】実施の形態２に係る広角レンズ系のレンズ配置図
【図４Ａ】実施の形態２に係る広角レンズ系の無限遠合焦状態の縦収差（球面収差）図
【図４Ｂ】実施の形態２に係る広角レンズ系の無限遠合焦状態の縦収差（非点収差）図
【図５】実施の形態３に係る広角レンズ系のレンズ配置図
【図６Ａ】実施の形態３に係る広角レンズ系の無限遠合焦状態の縦収差（球面収差）図
【図６Ｂ】実施の形態３に係る広角レンズ系の無限遠合焦状態の縦収差（非点収差）図
【図７】実施の形態１に係る広角レンズ系を適用した監視カメラの概略構成図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者らは、当業者が本開示を十分に理解するために添付図面および以下の説明を提供するのであって、これらによって特許請求の範囲に記載の主題を限定することを意図するものではない。
【００１１】
図１、３、５は、各々実施の形態１〜３に係る広角レンズ系のレンズ配置図であり、いずれも無限遠合焦状態を表している。各図において、特定の面に付されたアスタリスク＊は、該面が非球面であることを示している。また各図において、最も右側に記載された線分は、撮像素子の像面Ｓの位置を表す。
（広角レンズ系の構成）
図１は、実施の形態１に係る広角レンズ系１０を表している。広角レンズ系１０は、図１に示すように、物体側から像側へと順に、正のパワーを有する第１レンズ群Ｇ１と、開口絞りＡと、正のパワーを有する第２レンズ群Ｇ２と、平行平板Ｐと、で構成される。
【００１２】
第１レンズ群Ｇ１は、物体側から像側へと順に、負のパワーを有する第１レンズ素子Ｌ１と、負のパワーを有する第２レンズ素子Ｌ２と、負のパワーを有する第３レンズ素子Ｌ３と、正のパワーを有する第４レンズ素子Ｌ４と、で構成される。
【００１３】
第２レンズ群Ｇ２は、物体側から像側へと順に、負のパワーを有する第５レンズ素子Ｌ５と、正のパワーを有する第６レンズ素子Ｌ６と、正のパワーを有する第７レンズ素子Ｌ７と、正のパワーを有する第８レンズ素子Ｌ８と、負のパワーを有する第９レンズ素子Ｌ９と、で構成される。第５レンズ素子Ｌ５と、第６レンズ素子Ｌ６は、接着剤等で接着される接合レンズである。第８レンズ素子Ｌ８と、第９レンズ素子Ｌ９は、接着剤等で接着される接合レンズである。
【００１４】
第１レンズ群Ｇ１のレンズ素子について説明する。第１レンズ素子Ｌ１は、物体側に凸形状を有するメニスカスレンズである。第２レンズ素子Ｌ２は、物体側に凸形状を有するメニスカスレンズであり、物体側及び像側に非球面形状を有する。第３レンズ素子Ｌ３は、両凹レンズであり、物体側及び像側に非球面形状を有する。第４レンズ素子Ｌ４は、両凸レンズである。
【００１５】
第２レンズ群Ｇ２のレンズ素子について説明する。第５レンズ素子Ｌ５は、両凹レンズである。第６レンズ素子Ｌ６は、両凸レンズである。第７レンズ素子Ｌ７は、両凸レンズである。第８レンズ素子Ｌ８は、両凸レンズである。第９レンズ素子Ｌ９は、物体側に凹形状を有するメニスカスレンズである。
【００１６】
図３は、実施の形態２に係る広角レンズ系２０を表している。広角レンズ系２０は、図３に示すように、物体側から像側へと順に、正のパワーを有する第１レンズ群Ｇ１と、開口絞りＡと、正のパワーを有する第２レンズ群Ｇ２と、平行平板Ｐと、で構成される。
【００１７】
第１レンズ群Ｇ１は、物体側から像側へと順に、負のパワーを有する第１レンズ素子Ｌ１と、負のパワーを有する第２レンズ素子Ｌ２と、負のパワーを有する第３レンズ素子Ｌ３と、正のパワーを有する第４レンズ素子Ｌ４と、で構成される。
【００１８】
第２レンズ群Ｇ２は、物体側から像側へと順に、負のパワーを有する第５レンズ素子Ｌ５と、正のパワーを有する第６レンズ素子Ｌ６と、正のパワーを有する第７レンズ素子Ｌ７と、負のパワーを有する第８レンズ素子Ｌ８と、正のパワーを有する第９レンズ素子Ｌ９と、で構成される。第５レンズ素子Ｌ５と、第６レンズ素子Ｌ６は、接着剤等で接着される接合レンズである。第７レンズ素子Ｌ７と、第８レンズ素子Ｌ８は、接着剤等で接着される接合レンズである。
【００１９】
第１レンズ群Ｇ１のレンズ素子について説明する。第１レンズ素子Ｌ１は、物体側に凸形状を有するメニスカスレンズである。第２レンズ素子Ｌ２は、物体側に凸形状を有するメニスカスレンズであり、物体側及び像側に非球面形状を有する。第３レンズ素子Ｌ３は、両凹レンズであり、物体側及び像側に非球面形状を有する。第４レンズ素子Ｌ４は、両凸レンズである。
【００２０】
第２レンズ群Ｇ２のレンズ素子について説明する。第５レンズ素子Ｌ５は、物体側に凸形状を有するメニスカスレンズである。第６レンズ素子Ｌ６は、両凸レンズである。第７レンズ素子Ｌ７は、両凸レンズである。第８レンズ素子Ｌ８は、像側に凸形状を有するメニスカスレンズである。第９レンズ素子Ｌ９は、両凸レンズである。
【００２１】
図５は、実施の形態３に係る広角レンズ系３０を表している。広角レンズ系３０は、図５に示すように、物体側から像側へと順に、正のパワーを有する第１レンズ群Ｇ１と、開口絞りＡと、正のパワーを有する第２レンズ群Ｇ２と、平行平板Ｐと、で構成される。
【００２２】
第１レンズ群Ｇ１は、物体側から像側へと順に、負のパワーを有する第１レンズ素子Ｌ１と、負のパワーを有する第２レンズ素子Ｌ２と、負のパワーを有する第３レンズ素子Ｌ３と、正のパワーを有する第４レンズ素子Ｌ４と、で構成される。
【００２３】
第２レンズ群Ｇ２は、物体側から像側へと順に、負のパワーを有する第５レンズ素子Ｌ５と、正のパワーを有する第６レンズ素子Ｌ６と、負のパワーを有する第７レンズ素子Ｌ７と、正のパワーを有する第８レンズ素子Ｌ８と、正のパワーを有する第９レンズ素子Ｌ９と、で構成される。第５レンズ素子Ｌ５と、第６レンズ素子Ｌ６は、接着剤等で接着される接合レンズである。
【００２４】
第１レンズ群Ｇ１のレンズ素子について説明する。第１レンズ素子Ｌ１は、物体側に凸形状を有するメニスカスレンズである。第２レンズ素子Ｌ２は、物体側に凸形状を有するメニスカスレンズであり、物体側及び像側に非球面形状を有する。第３レンズ素子Ｌ３は、物体側に凸形状を有するメニスカスレンズであり、物体側及び像側に非球面形状を有する。第４レンズ素子Ｌ４は、両凸レンズである。
【００２５】
第２レンズ群Ｇ２のレンズ素子について説明する。第５レンズ素子Ｌ５は、物体側に凸形状を有するメニスカスレンズである。第６レンズ素子Ｌ６は、両凸レンズである。第７レンズ素子Ｌ７は、物体側に凸形状を有するメニスカスレンズである。第８レンズ素子Ｌ８は、両凸レンズである。第９レンズ素子Ｌ９は、物体側に凸形状を有するメニスカスレンズである。
（カメラへの適用例）
実施の形態１に係る広角レンズ系１０を適用したカメラの例を説明する。カメラは、監視カメラを例にして説明を行う。なお、実施の形態１に替えて実施の形態２、３に係る広角レンズ系２０、３０の何れかを適用しても良い。
【００２６】
図７は、実施の形態１を適用した監視カメラ１００の概略構成を示す。
【００２７】
監視カメラ１００は、任意の場所に設置され、広範囲な画像を取得する際に用いられる。監視カメラ１００で撮像した画像は、所定のモニタ等に表示され、リアルタイム監視やポストビュー監視等に用いられる。実施の形態１の広角レンズ系１０は、監視カメラに用いられる場合、より有効となる。これは、実施の形態１の広角レンズ系１０は１８０度超の画角で撮像可能であるためであり、一台の監視カメラで広範囲の画像を取得できるためである。
【００２８】
監視カメラ１００は、広角レンズ系１０と、撮像素子１０２と、ＣＰＵ１０３と、を備える。撮像素子１０２は、広角レンズ系１０によって形成される光学像を受光して、電気的な画像信号に変換する。ＣＰＵ１０３は、画像信号を取得して、Ａ／Ｄ変換、ＹＣ変換等の各種処理を施した画像データを生成する。ＣＰＵ１０３により生成された画像データは、モニタ（図示せず）等に表示される。または、画像データは、メモリ（図示せず）等に記録される。
【００２９】
なお、以上説明では、実施の形態１に係る広角レンズ系１０を監視カメラ１００に適用した例を示したが、車載カメラ、Ｗｅｂカメラ等に適用することもできる。
【００３０】
（条件及び効果）
以下、実施の形態１〜３に係る広角レンズ系が満足することが可能な条件を説明する。なお、実施の形態１〜３に係る広角レンズ系に対して、複数の可能な条件が規定されるが、これらの条件すべてを満足する広角レンズ系の構成が最も効果的である。しかしながら、個別の条件を満足することにより、それぞれ対応する効果を奏する広角レンズ系を得ることも可能である。
【００３１】
広角レンズ系は、物体側から順に、第１レンズ群Ｇ１と、開口絞りＡと、正のパワーを有する第２レンズ群Ｇ２とを備える。第１レンズ群Ｇ１は、物体側に凸形状を構成し、負のパワーを有するメニスカス形状の第１レンズ素子Ｌ１と、物体側に凸形状を有し、負のパワーを有するメニスカス形状の第２レンズ素子Ｌ２と、像側に凹形状を有し、負のパワーを有する第３レンズ素子Ｌ３と、後続レンズ素子とを含む。第２レンズ素子Ｌ２の物体側及び像側の面が非球面で構成されている。
【００３２】
また、第３レンズ素子Ｌ３の物体側及び像側の面は非球面で構成されている。図１、３に示すように、第３レンズ素子Ｌ３の物体側の面を凹形状に構成してもよい。後続レンズ素子は、上記図１、３、５に示す第４レンズ素子Ｌ４に相当するが、複数のレンズで構成してもよい。
【００３３】
このように第１レンズ素子Ｌ１、第２レンズ素子Ｌ２及び第３レンズ素子Ｌ３を構成することで、小型で大口径、かつ高性能な広角レンズ系を実現している。
【００３４】
そして、広角レンズ系は、例えば、以下の条件式（１）を満足することが好ましい。
【００３５】
０．３  ＜  （Ｒ２１−Ｒ２２）／（Ｒ２１＋Ｒ２２）  ＜  ０．８  ・・・（１）
ここで、
Ｒ２１：メニスカス形状を有する第２レンズ素子Ｌ２の物体側の近軸曲率半径
Ｒ２２：メニスカス形状を有する第２レンズ素子Ｌ２の像側の近軸曲率半径
である。
【００３６】
条件式（１）は、第２レンズ素子Ｌ２の形状を規定するための式である。条件式（１）の下限を下回ると、第２レンズ素子Ｌ２の負のパワーが弱くなりすぎ、広角化を実現することが困難になる。また、条件式（１）の上限を上回ると、第２レンズ素子Ｌ２の負のパワーが強くなりすぎるため、諸収差、特に歪曲収差と像面湾曲の補正が困難となり、高い光学性能を実現することが難しくなる。
【００３７】
なお、さらに以下の条件式（１Ａ）、（１Ｂ）の少なくとも一つを満足することにより、上記の効果を更に奏功させることができる。
【００３８】
０．４５  ＜  （Ｒ２１−Ｒ２２）／（Ｒ２１＋Ｒ２２）  ・・・（１Ａ）
（Ｒ２１−Ｒ２２）／（Ｒ２１＋Ｒ２２）  ＜  ０．６５  ・・・（１Ｂ）
このように構成すれば、小型で大口径、かつ高性能な広角レンズ系を実現できる。
【００３９】
条件式（１）と実施の形態１〜３の対応関係については後述する。
【００４０】
また、広角レンズ系は、例えば、以下の条件式（２）を満足することが好ましい。
【００４１】
２ω≧１８０°・・・（２）
ここで、
２ω：画角
である。
【００４２】
実施の形態１〜３に係る広角レンズ系は、条件式（２）を満足することで光学性能を維持しつつ、広角化を実現している。条件式（２）と実施の形態１〜３の対応関係については後述する。
【００４３】
また、広角レンズ系は、例えば、以下の条件式（３）を満足することが好ましい。
【００４４】
０．３５  ＜  ΣＤｉ／Ｔ１  ＜  ０．７０  ・・・（３）
ここで、
ΣＤｉ：第１レンズ群Ｇ１に含まれるレンズ素子の中心厚みの和
Ｔ１：第１レンズ群Ｇ１の総厚
である。
【００４５】
条件式（３）は、第１レンズ群Ｇ１に含まれるレンズ素子の中心厚みを規定するための式である。条件式（３）の上限を上回ると、第１レンズ群Ｇ１の空気間隔が短くなることで、第１レンズ群Ｇ１のパワーが強くなり、諸収差の補正が困難になる。また、条件式（３）の下限を下回ると、第１レンズ群Ｇ１の空気間隔が広くなることで、第１レンズ群Ｇ１のパワーが弱くなり、広角レンズ系の小型化を実現することが困難になる。
【００４６】
なお、さらに以下の条件式（３Ａ）、（３Ｂ）の少なくとも一つを満足することにより、上記の効果を更に奏功させることができる。
【００４７】
０．４０  ＜  ΣＤｉ／Ｔ１  ・・・（３Ａ）
ΣＤｉ／Ｔ１  ＜  ０．６０  ・・・（３Ｂ）
このように構成すれば、小型かつ高性能な広角レンズ系を実現できる。
【００４８】
実施の形態１〜３に係る広角レンズ系は、条件式（３）を満足することで小型化と広角化を両立している。条件式（３）と実施の形態１〜３の対応関係については後述する。
【００４９】
また、広角レンズ系は、例えば、以下の条件式（４）を満足することが好ましい。
【００５０】
０．５  ＜  ｜ｆＧ１／ｆＧ２｜  ＜  ４．０  ・・・（４）
ここで、
ｆＧ１：第１レンズ群Ｇ１の焦点距離
ｆＧ２：第２レンズ群Ｇ２の焦点距離
である。
【００５１】
条件式（４）は、第１レンズ群Ｇ１と第２レンズ群Ｇ２の焦点距離を規定するための式である。条件式（４）の下限を下回ると、第１レンズ群Ｇ１のパワーが強くなりすぎ、諸収差の補正が困難になり、高い光学性能を実現することが困難になる。また、条件式（４）の上限を上回ると、第１レンズ群Ｇ１におけるパワーが弱くなりすぎ、広角レンズ系の小型化を実現することが困難になる。
【００５２】
なお、さらに以下の条件式（４Ａ）、（４Ｂ）の少なくとも一つを満足することにより、上記の効果を更に奏功させることができる。
【００５３】
０．６  ＜  ｜ｆＧ１／ｆＧ２｜  ・・・（４Ａ）
｜ｆＧ１／ｆＧ２｜  ＜  ３．５  ・・・（４Ｂ）
このように構成すれば、小型で高性能な広角レンズ系を実現できる。
【００５４】
実施の形態１〜３に係る広角レンズ系は、条件式（４）を満足することで、小型で高性能な広角レンズ系を実現している。条件式（４）と実施の形態１〜３の対応関係については後述する。
【００５５】
また、広角レンズ系は、第２レンズ群Ｇ２に少なくとも１組の接合レンズを含み、第２レンズ群Ｇ２が少なくとも４枚以上のレンズ素子で構成されることが好ましい。
【００５６】
このように構成すれば、諸収差を良好に補正できるので、小型で高性能な広角レンズ系を実現できる。
【００５７】
また、広角レンズ系は、例えば、以下の条件式（５）を満足することが好ましい。
【００５８】
０．６２  ≦  ＰｇＦ  ＋  ０．００１８  ×  νｄ  ≦  ０．７２  ・・・（５）
ここで、
ＰｇＦ：部分分散比
νｄ：アッベ数
である。
【００５９】
条件式（５）は、第１レンズ群Ｇ１に含まれる負のパワーを有するレンズ素子の内少なくとも２つ以上、及び、第２レンズ群Ｇ２に含まれる正のパワーを有するレンズ素子の内少なくとも２つ以上における、部分分散比とアッベ数を規定するための式である。条件式（５）の範囲を外れると、色収差の補正が困難になり、高い光学性能を実現することが困難になる。
【００６０】
なお、さらに以下の条件式（５Ａ）、（５Ｂ）の少なくとも一つを満足することにより、上記の効果を更に奏功させることができる。
【００６１】
０．６４  ≦  ＰｇＦ  ＋  ０．００１８  ×  νｄ  ・・・（５Ａ）
ＰｇＦ  ＋  ０．００１８  ×  νｄ  ≦  ０．７０  ・・・（５Ｂ）
このように構成すれば、近赤外の波長領域まで良好に色収差を補正することができ、小型で高性能な広角レンズ系を実現できる。
【００６２】
実施の形態１〜３では、条件式（５）を満足することで、近赤外の波長領域まで良好に色収差を補正でき、小型で高性能な広角レンズ系を実現している。条件式（５）と実施の形態１〜３の対応関係については後述する。
【００６３】
また、広角レンズ系は、例えば、以下の条件式（６）を満足することが好ましい。
【００６４】
３．０  ≦  ｜Ｔｈ  ／  ｈ｜  ・・・（６）
ここで、
Ｔｈ：射出瞳位置（像面からの距離）
ｈ：像高
である。
【００６５】
条件式（６）は、広角レンズ系における、射出瞳位置と像高を規定するための式である。条件式（６）の範囲を外れる場合、撮像素子への光線入射角度を適切に設定することが出来なくなくなり、小型で高性能な広角レンズ系を実現することが困難となる。
【００６６】
なお、さらに以下の条件式（６Ａ）を満足することにより、上記の効果を更に奏功させることができる。
４．０  ≦  ｜Ｔｈ  ／  ｈ｜  ・・・（６Ａ）
このように構成すれば、撮像素子への光線入射角度を適切に設定でき、小型で高性能な広角レンズ系を実現できる。
【００６７】
実施の形態１〜３では、条件式（６）を満足することで、撮像素子への光線入射角度を適切に設定した広角レンズ系を実現している。条件式（６）と実施の形態１〜３の対応関係については後述する。
【００６８】
また、広角レンズ系は、第１レンズ群Ｇ１に少なくとも２枚の非球面レンズを含み、第１レンズ群Ｇ１の非球面レンズは、例えば以下の条件式（７）、（８）を満足することが好ましい。
【００６９】
１．５０  ＜  ｎasp  ＜  １．６５  ・・・（７）
２０  ＜  νasp  ＜６０  ・・・（８）
ここで、
ｎasp：非球面レンズのｄ線における屈折率
νasp：非球面レンズのｄ線におけるアッベ数
である。
【００７０】
このように構成すれば、非球面レンズを樹脂材料で構成することが可能となるため、広角レンズ系の軽量化、低コスト化を実現できる。
【００７１】
後述する実施例１〜３では、条件式（７）、（８）を満足することで、広角レンズ系の軽量化、低コスト化を実現している。条件式（７）、（８）と実施例１〜３の対応関係については後述する。
【００７２】
また、広角レンズ系は、例えば、以下の条件式（９）を満足することが好ましい。
【００７３】
１．８１  ＜  ｎ１  ＜  １．９５  ・・・（９）
ここで、
ｎ１：最も物体側のレンズのｄ線における屈折率
である。
【００７４】
条件式（９）は、最も物体側のレンズである第１レンズ素子Ｌ１の屈折率を規定するための式である。条件式（９）の下限を下回ると、第１レンズ素子Ｌ１のパワーが弱くなりすぎ、諸収差、特に像面湾曲の補正が困難になる。また、条件式（９）の上限を上回ると、第１レンズ素子Ｌ１のパワーが強くなりすぎ、諸収差、特に像面湾曲の補正が困難になる。
【００７５】
なお、さらに以下の条件式（９Ａ）、（９Ｂ）を満足することにより、上記の効果を更に奏功させることができる。
【００７６】
１．８３  ＜  ｎ１  ・・・（９Ａ）
ｎ１  ＜  １．９３  ・・・（９Ｂ）
このように構成すれば、像面湾曲を適切に補正した広角レンズ系を実現できる。
【００７７】
実施例１〜３では、条件式（９）を満足することで、像面湾曲を適切に補正した広角レンズ系を実現している。条件式（９）と実施例１〜３の対応関係については後述する。
【００７８】
（実施例）
以下、実施の形態１〜３に係る広角レンズ系の実施例１〜３を説明する。なお、各実施例において、表中の長さの単位はすべて「ｍｍ」であり、画角の単位はすべて「°」である。また、各実施例において、ｒは曲率半径、ｄは面間隔、ｎｄはｄ線に対する屈折率、νｄはｄ線に対するアッベ数、である。また、各実施例において、＊印を付した面は非球面であり、非球面形状は次式で定義している。
【００７９】
【数１】
0006569079.tif 000002
【００８０】
ここで、Ｚは光軸からの高さがｈの非球面上の点から非球面頂点の接平面までの距離、ｈは光軸からの高さ、ｒは非球面頂点の曲率半径、κは円錐定数、Ａｎはｎ次の非球面係数である。
【００８１】
図２Ａ、図２Ｂ、図４Ａ、図４Ｂ、図６Ａ及び図６Ｂは、実施例１から３に係る広角レンズ系の無限遠合焦状態における縦収差図である。各縦収差図のうち、図２Ａ、図４Ａ、図６Ａは、球面収差（ＳＡ（ｍｍ））を、図２Ｂ、図４Ｂ、図６Ｂは、非点収差（ＡＳＴ（ｍｍ））を示す。
【００８２】
図２Ａ、図４Ａ、図６Ａに示す球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。
【００８３】
図２Ｂ、図４Ｂ、図６Ｂに示す非点収差図において、縦軸は像高を表し、実線はサジタル平面（図中、ｓで示す）、破線はメリディオナル平面（図中、ｍで示す）の特性である。なお、ωは半画角を示す。
（実施例１）
実施例１は、図１に示した実施の形態１に係る広角レンズ系１０に対応する。広角レンズ系１０の面データを表１に、非球面データを表２に、無限遠合焦状態での各種データを表３に示す。
【００８４】
【表１】
0006569079.tif 000003
【００８５】
【表２】
0006569079.tif 000004
【００８６】
【表３】
0006569079.tif 000005
【００８７】
（実施例２）
実施例２は、図３に示した実施の形態２に係る広角レンズ系２０に対応する。広角レンズ系２０の面データを表４に、非球面データを表５に、無限遠合焦状態での各種データを表６に示す。
【００８８】
【表４】
0006569079.tif 000006
【００８９】
【表５】
0006569079.tif 000007
【００９０】
【表６】
0006569079.tif 000008
【００９１】
（実施例３）
実施例３は、図５に示した実施の形態３に係る広角レンズ系３０に対応する。広角レンズ系３０の面データを表７に、非球面データを表８に、無限遠合焦状態での各種データを表９に示す。
【００９２】
【表７】
0006569079.tif 000009
【００９３】
【表８】
0006569079.tif 000010
【００９４】
【表９】
0006569079.tif 000011
【００９５】
以下の表１０に、実施例１〜３における各広角レンズ系のデータと条件式（１）〜（４）、（６）〜（９）との対応値を示す。
【００９６】
【表１０】
0006569079.tif 000012
【００９７】
表１０に示すように、実施の形態１〜３に係る広角レンズ系１０、２０、３０は、条件式（１）〜（４）、（６）〜（９）を満足する。
【００９８】
以下の表１１に、実施例１〜３の各広角レンズ系における部分分散比の値を、表１２に、実施例１〜３における各広角レンズ系のデータと条件式（５）との対応値を示す。
【００９９】
【表１１】
0006569079.tif 000013
【０１００】
【表１２】
0006569079.tif 000014
【０１０１】
表１２に示すように、実施の形態１〜３に係る広角レンズ系１０、２０、３０は、条件式（５）を満足する。
（実施の形態の展開例）
以上のように、本出願において開示する技術の例示として、実施の形態１から３を説明した。しかしながら、本開示における技術は、これに限定されず、適宜、変更、置き換え、付加、省略などを行った実施の形態にも適用可能である。
【産業上の利用可能性】
【０１０２】
本開示に係る広角レンズ系は、車載カメラ、監視カメラ、ＷＥＢカメラ等に適用可能である。特に、車載カメラ、監視カメラといった広角レンズが求められるカメラにおいて好適である。
【符号の説明】
【０１０３】
Ｇ１  第１レンズ群
Ｇ２  第２レンズ群
Ｌ１  第１レンズ素子
Ｌ２  第２レンズ素子
Ｌ３  第３レンズ素子
Ｌ４  第４レンズ素子
Ｌ５  第５レンズ素子
Ｌ６  第６レンズ素子
Ｌ７  第７レンズ素子
Ｌ８  第８レンズ素子
Ｌ９  第９レンズ素子
Ｐ  平行平板
Ａ  開口絞り
Ｓ  撮像素子の像面
１０、２０、３０  広角レンズ系
１００  監視カメラ
１０２  撮像素子
１０３  ＣＰＵ
【図１】
0006569079.tif 000015
【図２Ａ】
0006569079.tif 000016
【図２Ｂ】
0006569079.tif 000017
【図３】
0006569079.tif 000018
【図４Ａ】
0006569079.tif 000019
【図４Ｂ】
0006569079.tif 000020
【図５】
0006569079.tif 000021
【図６Ａ】
0006569079.tif 000022
【図６Ｂ】
0006569079.tif 000023
【図７】
0006569079.tif 000024